(57)【要約】【課題】異物が溜まり難い排出経路を発光装置の収納部に設けた撮像装置を提供する。【解決手段】撮像装置は、撮像装置の本体上面に開口する凹形状の収納部と、収納部に収納される収納位置と収納位置から突出した突出位置との間を移動可能であって、突出位置において被写体を照明する発光部と、発光部が収納位置にあるときに発光部の側面を囲うように収納部に設けられると共に、収納部に浸入した水および異物を排出する排出口を有する保護部と、を備える。【選択図】図１
2015040935.tif 000002
【特許請求の範囲】
【請求項１】
撮像装置の本体上面に開口する凹形状の収納部と、
前記収納部に収納される収納位置と前記収納位置から突出した突出位置との間を移動可能であって、前記突出位置において被写体を照明する発光部と、
前記発光部が前記収納位置にあるときに前記発光部の側面を囲うように前記収納部に設けられると共に、前記収納部に浸入した水および異物を排出する排出口を有する保護部と、
を備えることを特徴とする撮像装置。
【請求項２】
請求項１に記載の撮像装置において、
前記保護部は、前記収納部の底面に接する前記排出口を少なくとも有することを特徴とする撮像装置。
【請求項３】
請求項１または２に記載の撮像装置において、
前記保護部は、
前記収納位置にある前記発光部の側面よりも外側にある前記収納部の底面上の位置に設けられる柱部と、
前記収納位置にある前記発光部の上面よりも高い位置に前記柱部により支持される梁部と、
を有することを特徴とする撮像装置。
【請求項４】
請求項３に記載の撮像装置において、
前記柱部および前記梁部は、金属材料で形成され、
前記柱部または前記梁部は、前記収納部の底面または側面を貫通しており、前記撮像装置の内部で内蔵部品に固着することを特徴とする撮像装置。
【発明の詳細な説明】
【技術分野】
【０００１】
本発明は撮像装置に関する。
【背景技術】
【０００２】
カメラ本体に内蔵ストロボを収納する収納部を有し、ストロボ非使用時には内蔵ストロボを収納部に収納させて、ストロボ使用時には内蔵ストロボを収納部から突出させるカメラが知られている（特許文献１）。特許文献１では、排水口が収納部の底面に設けられ、排水を導く案内溝などの排水経路がカメラ本体に設けられている。
【先行技術文献】
【特許文献】
【０００３】
【特許文献１】特開平７−３０６４５０号公報
【発明の概要】
【発明が解決しようとする課題】
【０００４】
特許文献１のように収納部の底面に排水口を設ける場合、カメラの他の部品を避けるように排水経路を設計するため、排水口の大きさを十分に確保できないことや、排水経路が複雑な形状となることがある。小さい排水口や複雑な排水経路には砂、土、ゴミなどの異物が溜まり易く、塞がれ易い。
【課題を解決するための手段】
【０００５】
本発明による撮像装置は、撮像装置の本体上面に開口する凹形状の収納部と、収納部に収納される収納位置と収納位置から突出した突出位置との間を移動可能であって、突出位置において被写体を照明する発光部と、発光部が収納位置にあるときに発光部の側面を囲うように収納部に設けられると共に、収納部に浸入した水および異物を排出する排出口を有する保護部と、を備えることを特徴とする。
【発明の効果】
【０００６】
本発明によれば、異物が溜まり難い排出経路を発光装置の収納部に設けた撮像装置を提供することができる。
【図面の簡単な説明】
【０００７】
【図１】（ａ）本発明の第１の実施の形態による撮像装置の概略正面図である。（ｂ）本発明の第１の実施の形態による撮像装置の概略斜視図である。
【図２】（ａ），（ｂ）本発明の第１の実施の形態の別の態様による撮像装置の概略正面図である。
【図３】（ａ）本発明の第２の実施の形態による撮像装置の概略斜視図である。（ｂ）本発明の第２の実施の形態による撮像装置の概略背面図である。（ｃ）収納部の拡大平面図である。
【図４】（ａ）本発明の第１の実施の形態による撮像装置の収納部と第２の実施の形態による撮像装置の収納部とを組み合わせた撮像装置の概略斜視図である。（ｂ）（ａ）に示した撮像装置の変形例を示す図である。
【図５】（ａ）従来の撮像装置の概略正面図である。（ｂ）従来の撮像装置の概略斜視図である。
【発明を実施するための形態】
【０００８】
―従来のデジタルカメラ―
ストロボ、フラッシュなどの発光装置をカメラ本体に内蔵するデジタルカメラが従来から知られている。図５（ａ）および（ｂ）には、そのようなデジタルカメラの一例が図示されている。図５（ａ）は従来のデジタルカメラの概略正面図であって、図５（ｂ）はそのデジタルカメラの概略斜視図である。なお、図５（ｂ）には、発光装置の図示が省略されている。
【０００９】
図５（ｂ）に示されているようにデジタルカメラ９００は、その上面９０１に開口を有する凹形状の収納部９０２を有する。図５（ａ）に破線で示されるように、収納部９０２には発光装置９０３を収納することができる。発光装置９０３は、不図示のバネ等により上方向に付勢されると共に、不図示のロック機構により収納部９０２の内側、すなわち収納位置に係止されている。ユーザが解除スイッチ９０４を操作すると、不図示のロック機構によるロックが解除されて、発光装置９０３がばねの付勢力により収納位置からポップアップする。ポップアップした発光装置９０３は、図５（ａ）に実線で示す突出位置に移動し、被写体に向けて発光可能な状態となる。
【００１０】
図５（ｂ）に示されるようにデジタルカメラ９００の収納部９０２の底面９０５には、排出用穴９０６の排出口９０７が設けられている。収納部９０２に浸入した水や異物は、排出口９０７から排出用穴９０６に流入する。ここで、異物とは砂、土、小石、ゴミ、塩などである。
【００１１】
排出用穴９０６は、排出口９０７からデジタルカメラ９００の外表面までデジタルカメラ９００の本体内部を通過している。排出用穴９０６は、制御用の回路基板等、デジタルカメラ９００の内蔵部品（不図示）を避けて設けられているため、異物に対して十分な大きさの穴径を確保することが困難な場合や、異物の排出経路が内蔵部品（不図示）の隙間を通るような複雑なものとなる場合がある。異物が大きい場合や異物の排出経路が複雑な場合、排出用穴９０６に水や異物が溜まり、排出用穴９０６を塞いでしまう虞がある。
【００１２】
排出用穴９０６が塞がってしまうと、収納部９０２に水や異物が排出されずに溜まる。収納部９０２に異物が溜まった状態では、異物が挟み込まれて発光装置９０３が収納位置まで移動できなることや、発光装置９０３の変形、発光面の汚濁などの不具合が発生してしまう。また、収納部９０２に水が溜まった状態では、汚濁、腐食、浸水、漏水、塩等の析出などが発生して、ショートなどの不具合を引き起こす虞がある。また、排出用穴９０６の径が小さいことにより、洗浄等を行って水や異物により塞がった排出用穴９０６から異物を除去することは困難である。
【００１３】
―第１の実施の形態―
図１（ａ）は、本発明の第１の実施の形態による撮像装置の概略正面図である。図１（ｂ）は、図１（ａ）に示した撮像装置の概略斜視図である。なお、図１（ｂ）には、発光装置の図示が省略されている。
【００１４】
図１（ａ）に示されるデジタルカメラ１００は、防水性を有する発光装置１０１と、発光装置１０１を収納するための収納部１０２と、解除スイッチ１０３と、レンズ鏡筒１０４とを備える。発光装置１０１は、従来のデジタルカメラ９００の発光装置９０３と同様に、ストロボやフラッシュなどである。
【００１５】
発光装置１０１は、収納部１０２の底面から上方向に突出するように設けられた支持部１０１ａの先端に固着しており、不図示のばね等により上方向に付勢されている。支持部１０１ａは電気配線を内蔵しており、発光装置１０１はこの電気配線を介してデジタルカメラ１００から給電される。発光装置１０１と支持部１０１ａの接続部には、その接続部から発光装置１０１と支持部１０１ａの内側に水や異物が浸入しないようにするため、不図示のガスケット等を用いて水密構造が構成されている。
【００１６】
図１（ｂ）に示されるように、収納部１０２は、デジタルカメラ１００の上面１０５に開口する凹形状を有する。収納部１０２は、デジタルカメラ１００の前面１０６と面一である前方保護部１０７と、デジタルカメラ１００の背面（不図示）と面一である後方保護部１０８と、デジタルカメラ１００の右面１０９と面一である右方保護部１１０とを有する。
【００１７】
収納部１０２の前方保護部１０７と後方保護部１０８と右方保護部１１０とにより三方向が囲われる空間には、発光装置１０１を収納可能である。換言すると、収納部１０２の内側に収納された発光装置１０１の側面は、前方保護部１０７と後方保護部１０８と右方保護部１１０とによって三方向が囲われる。収納部１０２に収納された発光装置１０１は、前方保護部１０７と後方保護部１０８と右方保護部１１０により外部からの衝撃から保護されている。
【００１８】
発光装置１０１は、収納部１０２の内側に収納されているとき、すなわち収納位置にあるとき、不図示のロック機構により係止される。発光装置１０１が収納位置にあるとき、支持部１０１ａは、収納部１０２の底面に設けられた不図示の収納穴に収納されている。不図示の収納穴は、収納穴の内部に水や異物が浸入しないように水密構造が設けられている。たとえば、不図示の収納穴の開口部の近傍に設けられたパッキンと支持部１０１の外周とにより水密構造が構成されている。
【００１９】
ユーザが解除スイッチ１０３を操作すると、不図示のロック機構によるロックが解除されて、発光装置１０１がばねの付勢力により収納位置から上方に飛び出す（ポップアップする）。ポップアップした発光装置１０１は、たとえば図１（ａ）に示す突出位置に移動して、被写体に向けて発光可能な状態となる。
【００２０】
支持部１０１ａは、発光装置１０１のポップアップに伴って、収納部１０２の底面からの突出量が増加する。発光装置１０１が突出位置にある場合であっても、不図示の収納穴の開口部の近傍に設けられた水密構造により収納穴には水や異物が浸入しない。
【００２１】
図１（ａ）および（ｂ）に示されるように、収納部１０２の前方保護部１０７と後方保護部１０８と右方保護部１１０の各々には、長方形状の排出口１１１が３個ずつ上下方向に並べて設けられている。合計９個の排出口１１１は、収納部１０２の底面に平行な２辺をそれぞれ有する。収納部１０２の底面に平行な排出口１１１の２辺のうち、収納部１０２の底面により近い辺を下辺と呼ぶ。
【００２２】
前方保護部１０７と後方保護部１０８と右方保護部１１０の各々に設けられた３個の排出口１１１のうち最も下に設けられた排出口１１１の各々の下辺は、それぞれ収納部１０２の底面に接する。排出口１１１の下辺が収納部１０２の底面に接することにより、収納部１０２に浸入した水や異物が前方保護部１０７と後方保護部１０８と右方保護部１１０の各々に掛り難くなり、排出し易くなる。
【００２３】
デジタルカメラ１００では、収納部１０２に浸入した水や異物を、デジタルカメラ１００の本体内部を通過することなく、排出口１１１から収納部１０２の外部へ直接排出することができる。デジタルカメラ１００では、水や異物を外部へ排出するための排出経路が極めて短くかつ単純であるため、排出経路中に水や異物が溜まり難い。
【００２４】
また、前方保護部１０７と後方保護部１０８と右方保護部１１０の各々に排出口１１１が設けられているため、いずれかの保護部の排出口１１１から収納部１０２に水を流入させて、他の保護部の排出口１１１からその水を排出させることにより容易に収納部１０２を濯ぐことができる。
【００２５】
また、前方保護部１０７と後方保護部１０８と右方保護部１１０の各々に下辺の高さが異なる複数の排出口１１１を設けることにより、デジタルカメラ１００がどのような姿勢にあっても収納部１０２に水や異物が溜まり難くなる。
【００２６】
なお、排出口１１１の形状は、長方形でなくてもよい。たとえば、排出口１１１は、円形、六角形、三角形、菱形、台形、平行四辺形などでもよい。図２（ａ）および（ｂ）は、長方形以外の排水口を図示した図である。図２（ａ）に示すデジタルカメラ１００ａでは、収納部１０２ａの前方保護部１０７ａに円形状の排出口１１２が稠密に配置されており、最下段の排出口１１２が収納部１０２ａの底面に接している。図２（ｂ）に示すデジタルカメラ１００ｂでは、収納部１０２ｂの前方保護部１０７ｂに六角形状の排出口１１３がハニカム構造を形成するように配置されており、最下段の排出口１１３の各々の最下辺が収納部１０２ｂの底面に接している。
【００２７】
―第２の実施の形態―
図３（ａ）は、本発明の第２の実施の形態による撮像装置の概略斜視図である。図３（ｂ）は、図３（ａ）に示した撮像装置の概略背面図である。本発明の第２の実施の形態による撮像装置は第１の実施の形態と同様に発光装置１０１を備える。しかし、図３（ａ）では、発光装置で隠れる部位を図示するため、発光装置の図示が省略されている。
【００２８】
図３（ａ）に示されるデジタルカメラ２００は、発光装置（図示を省略）を収納するための収納部２０２が柱部２０３と梁部２０４と筋交部２０５とを有する枠組み構造で構成されている点が第１の実施の形態と異なる。
【００２９】
図３（ａ）に示されるように、収納部２０２は、デジタルカメラ２００の上面２０６に開口する凹形状を有する。収納部２０２は、底面２０７を有し、その底面２０７とデジタルカメラ２００の上面２０６との間に側壁部２０８を有する。
【００３０】
図３（ａ）では、柱部２０３は、二つ設けられている。二つの柱部２０３は、図３（ｂ）に示されるように、発光装置１０１の外側にある収納部２０２の底面上の位置に設けられており、底面２０７を貫通している。二つの柱部２０３と底面２０７は、たとえばインサート成形により一体化した状態で製造され、水や異物が浸入する隙間が無いように製造されている。
【００３１】
図３（ｂ）に示されるように、柱部２０３の上端は、外部に露出しており、収納位置にある発光装置１０１の上面よりも高い位置に梁部２０４を支持している。柱部２０３の下端は、デジタルカメラ２００の本体内部に存在する。
【００３２】
枠組み構造を構成する柱部２０３と梁部２０４と筋交部２０５は、熱伝導率が高い材料、たとえば金属で構成される。柱部２０３の下端側は、デジタルカメラ２００の内蔵部品２１０に固着している。内蔵部品２１０は、たとえばマイクロコンピュータ等を搭載した回路基板などである。柱部２０３の下端側は、内蔵部品２１０において高温になり易い部位であって、柱部２０３に漏電しない部位に固着することが好ましい。
【００３３】
図３（ｃ）は、収納部２０２の近傍を上方から見た拡大図である。梁部２０４は、収納部２０２の側壁部２０８に固着している。梁部２０４は、発光装置１０１の側面の外周よりも大きい。図３（ｂ）と図３（ｃ）とから明らかなように、収納部２０２の枠組み構造は、発光装置１０１の側面を三方から囲うように設けられている。
【００３４】
なお、収納部２０２の底面２０７を貫通するように柱部２０３を設ける代わりに、収納部２０２の側壁部２０８を貫通するように梁部２０４を設け、デジタルカメラ２００の本体内部で梁部２０４を内蔵部品２１０に固着させることにしてもよい。
【００３５】
図３（ａ）および（ｂ）に示すように筋交部２０５は、複数の柱部２０３の間または収納部２０２の側壁部２０８と柱部２０３との間に斜めに設けられている。発光装置１０１が収納位置に収納されているとき、発光装置１０１を三方から囲う枠組み構造は、外部から加えられる衝撃から発光装置１０１を保護する。筋交部２０５は、収納部２０２の枠組み構造の耐衝撃性能を向上させている。
【００３６】
図３（ａ）に示されるように、側壁面２０８を除く収納部２０２の３側面には、柱部２０３と梁部２０４と筋交部２０５とによりそれぞれ４個ずつの三角形状の排出口が形成されている。各面の排出口のうち最も下の排出口は、収納部２０２の底面に接している。収納部２０２の枠組み構造は、側壁面２０８を除く収納部２０２の３側面のほとんどを排出口として利用することができるため、収納部２０２の内部に浸入した水や異物を容易に排出することができ、収納部２０２に水や異物が溜まり難い。また、収納部２０２は、流水などを用いてその内部を容易に濯ぐことができる。
【００３７】
以上で説明した実施の形態によれば、以下の作用効果が得られる。
第１の実施の形態によるデジタルカメラ１００の収納部１０２は、発光装置１０１が収納位置にあるときに発光装置１０１の側面を囲う前方保護部１０７と後方保護部１０８と右方保護部１１０とを有し、前方保護部１０７と後方保護部１０８と右方保護部１１０は、収納部１０２に浸入した水および異物を排出する排出口１１１を有する。このように、収納部１０２の側面側に排出口１１１を設けることにより、デジタルカメラ１００の本体内部を通過させることなく水や異物を短い排出経路で外部へ排出することができ、排出経路中に水や異物が溜まり難い。
第２の実施の形態によるデジタルカメラ２００の収納部２０２は、発光装置１０１が収納位置にあるときに発光装置１０１の側面を柱部２０３と梁部２０４と筋交部２０５とを含む枠組み構造で囲う。枠組み構造は、柱部２０３と梁部２０４と筋交部２０５とにより構成される三角形状の排出口を有する。
【００３８】
以上で説明した実施形態は、以下のように変形して実施できる。
〔変形例１〕第１の実施の形態と第２の実施の形態とは、組み合わせて実施することができる。図４（ａ）に示すデジタルカメラ３００には、第２の実施の形態における収納部２０２に設けられた枠組み構造と、第１の実施の形態における収納部１０２の前方保護部１０７と後方保護部１０８と右方保護部１１０とを備えている。枠組み構造は、前方保護部１０７と後方保護部１０８と右方保護部１１０の内側に設けられており、発光装置を収納する収納部の耐衝撃性能を向上させている。また、デジタルカメラ３００は、枠組み構造と共に前方保護部１０７と後方保護部１０８と右方保護部１１０を設けることにより、デザイン面の自由度が向上する。
【００３９】
〔変形例２〕第１の実施の形態と上記の変形例１とにおいて、前方保護部１０７と後方保護部１０８と右方保護部１１０の各々に設ける排出口１１１の数は３個に限定しない。たとえば、図４（ｂ）に示すデジタルカメラ４００のように下辺が収納部の底面に接する排出口１１１だけを設けることにしてもよい。また、前方保護部１０７と後方保護部１０８と右方保護部１１０のうち多くとも二つに排出口１１１を設けないことにしてもよい。
【００４０】
〔変形例３〕収納部１０２の位置は、図１〜図４に示すような位置だけに限定しない。たとえば、図１〜図４を左右反転させた位置に収納部１０２を設けてもよい。
【００４１】
以上で説明した実施の形態や変形例はあくまで例示に過ぎず、発明の特徴が損なわれない限り本発明はこれらの内容に限定されない。また、以上で説明した実施の形態や変形例は組み合わせて実行してもよい。
【符号の説明】
【００４２】
１００，２００  デジタルカメラ
１０２，２０２  収納部
１０７  前方保護部
１０８  後方保護部
１１０  右方保護部
１１１  排出口
２０３  柱部
２０４  梁部
２０５  筋交部
【図１】
2015040935.tif 000003
【図２】
2015040935.tif 000004
【図３】
2015040935.tif 000005
【図４】
2015040935.tif 000006
【図５】
2015040935.tif 000007